(57)【要約】　　　（修正有）【解決手段】吸汗性及び速乾性を有する二枚の生地1a，1bの上縁部を、衣類のアームホールに沿うように弦状に湾曲させて形成し、その部分を互いに接合させる。二枚の生地1a，1bを接合させた部分1cが弦状に湾曲させてあるから、この部分をアームホールａに沿わせて配置し、大きい方の生地1aを衣類Ａの胴内に在らしめ、小さい方の生地1bを衣類Ａの腕内に差し込んだ上で、アームホールａの稜線を基点にして小さい方の生地1bを腕内に折り返す。【効果】脇当てを衣類に取り付け、衣類の脇の部分を保護・補強することができる。また、衣類を着用した場合でも、脇の下がゴワゴワすることがない。取り替えが自由であり、その後の取り付けも極めて簡単に行うことができる。【選択図】　　図３
0003099259.tif 000002
【実用新案登録請求の範囲】
【請求項１】
　衣類の脇の内側に取り付けて脇の部分を保護・補強するためのものであって、吸汗性及び速乾性を有する二枚の生地１，２の上縁部を、衣類のアームホールに沿うように弦状に湾曲させて形成し、その部分を互いに接合させたことを特徴とする脇当て。
【請求項２】
　脇当てが衣類の脇に対して着脱自在に取り付けられていることを特徴とする請求項１記載の脇当て。
【考案の詳細な説明】
【技術分野】
【０００１】
　本考案は、衣類の脇の内側に取り付けて脇の部分を保護・補強するための脇当てに関するものである。
【背景技術】
【０００２】
　衣類の脇の内側に取り付け、脇の下にかく汗を吸い取るとともに、衣類側に汗が染み出るのを防止するものとして、様々な汗取りパットが開発されている（例えば、特許文献１，２参照）。
【特許文献１】実公昭５６−２７２０７号公報
【特許文献２】実公昭５５−５５２１５号公報
【考案の開示】
【考案が解決しようとする課題】
【０００３】
　この種の汗取りパットはあくまでも吸湿を目的とするものであって、衣類の脇の部分を保護・補強するために開発されたものではなく、このような機能を有する脇当ての出現が望まれていることも事実である。
【課題を解決するための手段】
【０００４】
　本考案は、このような要望に応え得るものとして開発されたものである。すなわち、本考案に係る脇当ては、衣類の脇の内側に取り付けて脇の部分を保護・補強するためのものであって、吸汗性及び速乾性を有する二枚の生地1a，1bの上縁部を、衣類のアームホールに沿うように弦状に湾曲させて形成し、その部分を互いに接合させたことを特徴とする。
【０００５】
　この脇当て１は、図３に示すように、衣類Ａの脇の内側であって、アームホールａに沿って取り付けられる。すなわち、二枚の生地1a，1bを接合させた部分1cが弦状に湾曲させてあるから、この部分をアームホールａに沿わせて配置し、様々な手段で衣類Ａに取り付ける。このようにすることにより、衣類Ａの脇の部分を保護・補強することができる。また、衣類を着用した場合でも、脇の下がゴワゴワすることがない。
【０００６】
　脇当てが衣類の脇に対して着脱自在に取り付けられていることが望ましい。このようにしておくと、取り替えが自由であり、その後の取り付けも簡単に行うことができる。
【考案の効果】
【０００７】
　請求項１記載の脇当てを用いた場合には、衣類Ａの脇の部分を保護・補強することができる。また、衣類を着用した場合でも、脇の下がゴワゴワすることがない。
【０００８】
　請求項２記載の考案によれば、取り替えが自由であり、その後の取り付けも極めて簡単に行うことができるという利点を有する。
【考案を実施するための最良の形態】
【０００９】
　本考案の好ましい実施の形態を、図面に基づいて詳細に説明する。
　図１に、本考案の脇当ての一例を示す。この脇当て１は、大小二枚の生地1aと1bとからなっており、両生地1a，1bの上縁部を、衣類Ａのアームホールａに沿うように弦状に湾曲させて形成し、その部分を互いに接合させてある。そして、この接合部分1cをアームホールａに沿わせて配置し、様々な手段で衣類Ａに取り付ける。このようにすることにより、衣類Ａの脇の部分を保護・補強することができる。また、衣類を着用した場合でも、脇の下がゴワゴワすることがない。
【００１０】
　なお、両生地1a，1bの接合部分1cをアームホールａに沿わせて配置するとともに、大きい方の生地1aを衣類Ａの胴内に在らしめ、小さい方の生地1bを衣類Ａの腕内に差し込んだ上で、図３の矢印で示すようにアームホールａの稜線を基点にして小さい方の生地1bを腕内に折り返す。しかる後、この脇当て１を衣類Ａに取り付ける。
【００１１】
一方、両生地1a，1bを接合させる手段としては、例えば、図２に示すように、二枚の生地1a，1bの湾曲された上縁部を折り返し、その部分を互いに縫い合わせる場合を挙げることができる。図１，図２において、図面符号1dがその縫い糸である。また、ホットメルトその他の接着剤を用いて、二枚の生地1a，1bの湾曲された上縁部を互いに接合してもよい。なお、成形という手段を用いても、二枚の生地1a，1bの上縁部を衣類Ａのアームホールａに沿うように弦状に湾曲させることができる。
【００１２】
　この脇当て１をアームホールａに沿わせて配置し、衣類Ａに取り付けるに当っては、何箇所かを縫い付けてもよいし、ホットメルトその他の接着剤を用いて衣類Ａに取り付けてもよい。このような取付手段を用いた場合には、脇当てが衣類の脇に対して着脱自在に取り付けられることになり、取り替えが自由であり、その後の取り付けも極めて簡単に行うことができる。汗を含んだり汗の臭いが染み込んできたら、また、脇当て１が痛んできたら、極めて簡単に取り外すことができるし、その後の取り付けも極めて簡単に行うことができる。
【００１３】
　大小二枚の生地1a，1bは、少なくとも吸汗性と速乾性を有するものとする。脇当て１をこのような機能を有する生地で作ると、脇の下に汗をかいた場合でも、脇当て１がその汗を吸い取るとともに、衣類側に汗が染み出るのを防止することができる。また、脇当て１を脱臭機能や防汚機能を有する生地で作ると、脇の臭いがしないのみならず、長く取り付けたまま置いておいてもよい。脇当て１を保温機能を有する生地で作ると、保温効果があり、静電防止機能を有する生地で作ると、静電気が発生するのを防止できる。
【００１４】
　また、脇当て１を水洗いできる生地やドライクリーニングできる生地で作った場合には、水洗いやドライクリーニングが可能であり、汗を含んだり汗の臭いが染み込んできたら、脇当て１を外して洗濯できるし、取り替えることもできる。なお、脇当て１を不織布やメッシュ状の生地、トリコット製の生地で作ることもできる。上述したような脇当て１の各機能に応じて、その材質を適宜選択することができる。
【００１５】
　図１に示す場合には、大小二枚の生地1a，1bの上縁部を除く周縁部にパイピング処理1eが施してある。この処理を施すことにより、生地1a，1bの周縁部がほつれるのを防止できる。ほつれない生地を用いる場合には、このパイピング処理1eを施さなくてもよい。なお、パイピング処理1eのために、例えば、実公平６−５０４９４号（実用新案登録第２０７９７２７号、権利者：本出願人と同一人である）における糸の縫い方を利用するとよい。
【００１６】
　また、大小二枚の生地1a，1bを色付きないし柄付きとしたり、前記パイピング処理1eのための糸に色糸を用いると、脇当て１をカラフルなものとすることができるのみならず、意匠的にも優れたものとなる。
【００１７】
　なお、大小二枚の生地1a，1bをそれぞれ二枚重ねの生地からなるものとしてもよいし、単に、一枚の生地からなるものとしてもよい。
【産業上の利用可能性】
【００１８】
　本考案による脇当ては、背広・ブレザー・作業服その他各種の上衣やワンピースなどに広く利用することができる。
【図面の簡単な説明】
【００１９】
【図１】本考案による脇当ての一例を示す正面図である。
【図２】図１における中央縦断面図である。
【図３】図１に示す脇当ての使用状態を示す概略図である。
【符号の説明】
【００２０】
　１…脇当て、1a…生地、1b…生地、1c…接合部分、1d…縫い糸、1e…パイピング処理、Ａ…衣類、ａ…アームホール。
【図１】
0003099259.tif 000003
【図２】
0003099259.tif 000004
【図３】
0003099259.tif 000005